(57)【要約】【課題】筆毛の収束密度に変化をもたせて、植毛穴から延出する筆毛の広がりに多様な変化を創出し、一の化粧筆で、ユーザのニーズに応える多様な使用感が得られる化粧筆を提供する。【解決手段】丸棒状の筆軸10の先端の面11に形成された植毛穴20に筆毛30を植毛し、植毛穴20から筆毛30が延出する化粧筆1において、筆軸10の横断面形状と植毛穴形状20とが相似形状でないよう、異形となるように形成した。植毛穴20の形状を、安易に筆軸10の横断面形状を縮小した形状に形成せず（相似形状とせず）、異形に形成することで、植毛穴20から延出する筆毛30が、異形の植毛穴20の形状に倣って広がるので、筆毛30の収束密度に変化が生じ、筆毛30の使用感に多様性を創出することができる。【選択図】図２
2013102926.tif 000002
【特許請求の範囲】
【請求項１】
基端部を操作部とする丸棒状の筆軸の先端の面に形成された植毛穴に筆毛が植毛され、前記植毛穴から前記筆毛が延出する化粧筆において、
前記筆軸の横断面形状と前記植毛穴形状とが相似形状でないよう、異形となるように形成されたことを特徴とする化粧筆。
【請求項２】
請求項１に記載の化粧筆において、前記植毛穴の開口部は四辺を有し、前記筆軸先端面を、該四辺とＸ軸Ｙ軸とが直交するＸＹ平面とすると、前記植毛穴の、Ｘ軸方向の辺及び／又はＹ軸方向の辺には起伏部が形成されて、前記筆軸横断面形状とは異形となることを特徴とする化粧筆。
【請求項３】
請求項２に記載の化粧筆において、前記起伏部は、前記植毛穴の辺の延在方向中央部が両端部よりも筆軸中心側に凹む円弧状の凹部であって、該起伏部は前記Ｙ軸方向の辺に形成され、前記Ｘ軸方向の辺は直線状に形成されたことを特徴とする化粧筆。
【請求項４】
請求項２に記載の化粧筆において、前記起伏部は、前記植毛穴の辺の延在方向中央部が両端部よりも筆軸中心側に凹む円弧状の凹部であって、該起伏部は前記Ｙ軸方向及びＸ軸方向の辺に形成されたことを特徴とする化粧筆。
【請求項５】
請求項２に記載の化粧筆において、前記起伏部は、前記Ｙ軸方向の辺に形成された該辺の延在方向中央部が両端部よりも筆軸中心側に凹む円弧状の凹部と、前記Ｘ軸方向の辺に形成された該辺の延在方向中央部が両端部よりも筆軸外側に凸となる円弧状の凸部であることを特徴とする化粧筆。
【請求項６】
請求項３〜５のいずれかに記載の化粧筆において、前記植毛穴はＹ軸非対称形状に形成されたことを特徴とする化粧筆。
【請求項７】
請求項２に記載の化粧筆において、前記起伏部は、矩形に凹む溝であって、該起伏部は、少なくとも前記Ｙ軸方向の辺に、複数形成されたことを特徴とする化粧筆。
【請求項８】
請求項２に記載の化粧筆において、前記起伏部は、段差であって、該起伏部は前記Ｙ軸方向の辺に形成されて、前記植毛穴はＹ軸非対称形状に形成されたことを特徴とする化粧筆。
【請求項９】
請求項１に記載の化粧筆において、前記筆軸先端面をＸＹ平面とすると、前記植毛穴の開口部は、前記Ｘ軸方向両端部が鋭利となる、ピーナッツ形状に形成されて、前記横断面形状とは異形となることを特徴とする化粧筆。
【請求項１０】
請求項１に記載の化粧筆において、前記筆軸先端面をＸＹ平面とすると、前記植毛穴の開口部は、前記Ｘ軸方向一端部が鋭利となる、円錐形状に形成されて、前記横断面形状とは異形となることを特徴とする化粧筆。
【発明の詳細な説明】
【技術分野】
【０００１】
本発明は、例えばリップグロスや液体口紅やアイライン及びエナメルなどの化粧料を塗布する化粧筆に係り、特に、棒状の筆軸の先端に形成されている植毛穴に筆毛が植毛され、植毛穴の形状に倣って筆毛が延出する化粧筆に関する。
【背景技術】
【０００２】
この種の化粧筆としては、特許文献１に示すように、横断面小判形の筆軸の先端面１１に、これと相似の横断面小判形の植毛穴２０が形成され、該植毛穴に筆毛３０の毛束を折り返して挿入し、植毛穴２０の底面に止め金具によって固定することで、筆毛３０が筆軸に植毛されたものがある。係る筆毛３０は、植毛穴２０の形状を保持したまま、筆毛先端側に向かって植毛穴の拘束力の影響が緩むにつれて広がっていき、植毛穴２０の形状と同じ形状に、横断面小判形状に延出する（図１０参照）。
【先行技術文献】
【特許文献】
【０００３】
【特許文献１】特許３３９７８８６号公報（図１〜５）
【発明の概要】
【発明が解決しようとする課題】
【０００４】
しかし、図１０に示す化粧筆では、筆毛は植毛穴による拘束形状を維持したまま広がることから、横断面小判形の植毛穴２０から延出した筆毛は、化粧筆を先端側から正面視した筆毛長手方向を筆毛左右方向とすると、植毛穴の形状が筆毛左右方向において変化が無いために（植毛穴開口部に筆毛左右方向において起伏等が無いために）、筆毛を拘束する力も筆毛左右方向において一定であり、係る化粧筆を用いて化粧料を塗布すると、筆毛の中央部，端部のどちらを用いても、また左側，右側のどちらを用いても、使用感が変わらないという問題があった。このため、ユーザはあくまで植毛された筆毛の材質による違いでしか、使用感の変化を享受することが出来なかった。
【０００５】
本発明は、前記した従来技術の問題点に鑑みなされたもので、その目的は、筆毛の収束密度に変化をもたせて、植毛穴から延出する筆毛の広がりに多様な変化を創出し、一の化粧筆で、ユーザのニーズに応える多様な使用感が得られる化粧筆を提供することにある。
【課題を解決するための手段】
【０００６】
前記目的を達成するために、請求項１に係る化粧筆では、基端部を操作部とする丸棒状の筆軸の先端の面に形成された植毛穴に筆毛が植毛され、前記植毛穴から前記筆毛が延出する化粧筆において、前記筆軸の横断面形状と前記植毛穴形状とが相似形状でないよう、異形となるように形成されたことを特徴とする。
【０００７】
請求項２では、請求項１に記載の化粧筆において、前記植毛穴の開口部は四辺を有し、前記筆軸先端面を、該四辺とＸ軸Ｙ軸とが直交するＸＹ平面とすると、前記植毛穴の、Ｘ軸方向の辺及び／又はＹ軸方向の辺には起伏部が形成されて、前記筆軸横断面形状とは異形となることを特徴とする。
【０００８】
請求項３では、請求項２に記載の化粧筆において、前記起伏部は、前記植毛穴の辺の延在方向中央部が両端部よりも筆軸中心側に凹む円弧状の凹部であって、該起伏部は前記Ｙ軸方向の辺に形成され、前記Ｘ軸方向の辺は直線状に形成されたことを特徴とする。
【０００９】
請求項４では、請求項２に記載の化粧筆において、前記起伏部は、前記植毛穴の辺の延在方向中央部が両端部よりも筆軸中心側に凹む円弧状の凹部であって、該起伏部は前記Ｙ軸方向及びＸ軸方向の辺に形成されたことを特徴とする。
【００１０】
請求項５では、請求項２に記載の化粧筆において、前記起伏部は、前記Ｙ軸方向の辺に形成された該辺の延在方向中央部が両端部よりも筆軸中心側に凹む円弧状の凹部と、前記Ｘ軸方向の辺に形成された該辺の延在方向中央部が両端部よりも筆軸外側に凸となる円弧状の凸部であることを特徴とする。
【００１１】
請求項６では、請求項３〜５のいずれかに記載の化粧筆において、前記植毛穴はＹ軸非対称形状に形成されたことを特徴とする。
【００１２】
請求項７では、請求項２に記載の化粧筆において、前記起伏部は、矩形に凹む溝であって、該起伏部は、少なくとも前記Ｙ軸方向の辺に、複数形成されたことを特徴とする。
【００１３】
請求項８では、請求項２に記載の化粧筆において、前記起伏部は、段差であって、該起伏部は前記Ｙ軸方向の辺に形成されて、前記植毛穴はＹ軸非対称形状に形成されたことを特徴とする。
【００１４】
請求項９では、請求項１に記載の化粧筆において、前記筆軸先端面をＸＹ平面とすると、前記植毛穴の開口部は、前記Ｘ軸方向両端部が鋭利となる、ピーナッツ形状に形成されて、前記横断面形状とは異形となることを特徴とする。
【００１５】
請求項１０では、請求項１に記載の化粧筆において、前記筆軸先端面をＸＹ平面とすると、前記植毛穴の開口部は、前記Ｘ軸方向一端部が鋭利となる、円錐形状に形成されて、前記横断面形状とは異形となることを特徴とする。
【発明の効果】
【００１６】
以上より、請求項１に係る発明によれば、特許文献１のように、横断面が小判形状や楕円形状等の略円形に形成されることの多い丸棒状の筆軸に対し、植毛穴形状を、安易に筆軸の横断面形状を縮小した形状に形成せず（相似形状とせず）、異形に形成することで、植毛穴から延出する筆毛が、異形の植毛穴形状に倣って広がるので、筆毛の収束密度に変化が生じ、筆毛の使用感に多様性を創出することができる。
【００１７】
特に、請求項２に係る発明によれば、植毛穴を矩形とし、該植毛穴のＸ軸方向の辺及び／又はＹ軸方向の辺に起伏を形成したことで、起伏形成箇所で、筆毛を拘束する力に強弱が生じ、即ち筆毛の収束密度に変化が生じて筆毛の広がり方が変化するので、筆毛の使用感が用いる箇所によって異なり、一本の化粧筆で多様な使用感が得られる。
【００１８】
請求項３に係る発明によれば、Ｙ軸方向の二辺に、筆軸中心側に円弧状に凹む起伏部を形成したので、筆毛中央部と両端部において筆毛の収束密度が異なって、筆毛中央部と両端部で異なる使用感を得ることができる。
【００１９】
また、請求項４に係る発明によれば、Ｘ軸方向の二辺にも筆軸内側にむかう凹起伏部を形成したことで収束密度が高くなり、上記に加えて固めの使用感を得ることができる。
【００２０】
一方、請求項５に係る発明によれば、Ｘ軸方向の二辺に筆軸外側にむかう凸起伏部を形成したことで収束密度が小さくなり、上記に加えて柔らかめの使用感を得ることができる。
【００２１】
請求項６に係る発明によれば、さらに植毛穴をＹ軸非対称に形成したので、前記Ｘ軸方向を筆毛左右方向とすると、筆毛中央部と両端部だけでなく、さらに筆毛の左側と右側で異なる使用感が得られ、一本の化粧筆にいっそう多様の使用感を持たせることができる。
【００２２】
請求項７に係る発明によれば、植毛穴開口部のＹ軸方向の辺に矩形の起伏を複数形成したので、係る矩形溝に筆毛がはまって、筆毛は、筆毛外周部が複数の毛束状に分割された状態で延出するので、前記Ｘ軸方向を筆毛左右方向とすると、筆毛左右方向において矩形溝の凹凸箇所に対応して異なる使用感を得ることができる。
【００２３】
請求項８に係る発明によれば、植毛穴開口部のＹ軸方向の辺に段差の起伏を形成したので、係る段差を境界に筆毛の収束密度が変化して、前記Ｘ軸方向を筆毛左右方向とすると、筆毛左右方向において異なる使用感を得ることができる。言い換えると、段差部があることからＹ軸非対称形状となり、筆毛の左側と右側で異なる使用感が得られ、一本の化粧筆にいっそう多様性を持たせることができる。
【００２４】
請求項９に係る発明によれば、植毛穴を安易に略円形とせず、Ｘ軸方向両端部に鋭利な部分を形成して異形に形成したことで、筆毛両端部には他の部分とは異なる使用感を創出することができる。
【００２５】
請求項１０に係る発明によれば、植毛穴を安易に略円形とせず、Ｘ軸方向一端部に鋭利な部分を形成し、Ｘ軸方向の形状が漸次的に狭まるように異形に形成したことで、筆毛一端部には他の部分とは異なる使用感を創出するとともに、前記Ｘ軸方向を筆毛左右方向とすると、筆毛左右方向に漸次的に変化する使用感を創出することができる。
【図面の簡単な説明】
【００２６】
【図１】本発明の第１〜８の実施例に係る化粧筆の正面図。
【図２】第１の実施例に係る化粧筆の先端側斜視図。
【図３】第２の実施例に係る化粧筆の先端側斜視図。
【図４】第３の実施例に係る化粧筆の先端側斜視図。
【図５】第４の実施例に係る化粧筆の先端側斜視図。
【図６】第５の実施例に係る化粧筆の先端側斜視図。
【図７】第６の実施例に係る化粧筆の先端側斜視図。
【図８】第７の実施例に係る化粧筆の先端側斜視図。
【図９】第８の実施例に係る化粧筆の先端側斜視図。
【図１０】従来の化粧筆の先端側斜視図。
【発明を実施するための形態】
【００２７】
次に、本発明の実施の形態を実施例に基づいて説明する。図１は本発明の第１〜８の実施例に係る化粧筆の正面図である。図１において、符号１は、本願に係る化粧筆であり、符号１０は、横断面長円形の偏平な丸棒状の筆軸であって、その先端１０ａ側の端面（先端面）１１には、後述の各実施例に係る形状の開口部を備えた植毛穴２０Ａ〜２０Ｈが形成されている。一方、筆軸１０の基端部１０ｂには操作部３が設けられている。そして、図示しないが、化粧料容器４には、リップグロスや液体口紅やアイライン及びネイルエナメル等の化粧料５が充填されており、操作部３が化粧料容器４の蓋体を兼ねる。
【００２８】
符号３０は筆毛であって、一例として、直径１ミル〜３ミル（約０．００２５ｍｍ〜０．００７５ｍｍ）の比較的細いナイロン等の合成樹脂繊維からなる。植毛穴２０Ａ〜２０Ｈ内には、２つ折りにされた筆毛３０の毛束の折り返し部が挿入されるとともに、この毛束折り返し部が植毛穴底面に圧入されたＵ字型の止め金具等によって挟持固定されることで、筆毛３０が植毛穴２０Ａ〜２０Ｈ内に植毛され、植毛穴２０Ａ〜２０Ｈから筆毛３０が延出する構造となっている。
【００２９】
以降の実施例１〜８においては、化粧筆１をネイル筆として使用した場合を例に説明する。また、方向を説明する便宜上、植毛穴開口部が矩形四辺を有する実施例１〜６においては、筆軸先端面１１に該四辺とＸ軸Ｙ軸とが直交するようにＸＹ平面を想定する。植毛穴開口部が矩形四辺でない実施例７〜８においては、筆軸先端面１１に任意にＸＹ平面を想定して良い。そして、実施例１〜８においては、一例として、長円形である筆軸先端面１１の長手方向がＸ軸となるように筆軸先端面１１にＸＹ平面を設定する。しかし、Ｘ軸の設定はこれに限られるものではなく、筆軸１０の横断面形状が正円であれば任意の方向で良い。なお、実施例１〜８において、前記Ｘ軸方向を筆毛左右方向と称する。
【実施例１】
【００３０】
図２は第１の実施例に係る化粧筆の先端側斜視図である。第１の実施例では、植毛穴２０Ａの開口部は四辺を有し、植毛穴２０ＡのＹ軸方向の二辺が長円形の筆軸先端面１１長手方向と平行に形成されるとともに、Ｙ軸方向の二辺にはそれぞれ、該辺の延在方向中央部が両端部よりも筆軸中心側に凹む円弧状の凹部となる起伏部２１Ａが形成されている。一方、植毛穴２０ＡのＸ軸方向の二辺は、起伏無く直線状に形成されている。これにより、筆毛３０は、植毛穴２０Ａの形状に倣って筆毛先端側に向かって広がり、植毛穴２０Ａと同形状に延出している。本実施例によれば、横断面略円形に形成されることの多い丸棒状の筆軸１０に対し、植毛穴２０Ａの形状を、筆軸１０の横断面形状を縮小した長円形に形成せず（相似形状に形成せず）、矩形とし、さらにＹ軸方向の二辺に筆軸内側に窪む起伏部２１Ａを形成したので、筆毛３０は、その中央部３０ｃは密に収束して固いしっかりとした塗り心地となるものの、その両端部３０ｅ，３０ｅにおいては収束密度が中央部３０ｃよりも緩んで柔らかく爪を包み込むような塗り心地となって、筆毛中央部３０ｃと両端部３０ｅ，３０ｅで異なる使用感が得られる。
【実施例２】
【００３１】
図３は第２の実施例に係る化粧筆の先端側斜視図である。第２の実施例の植毛穴２０Ｂは、Ｙ軸方向の二辺の形状は実施例１のままに、Ｘ軸方向の二辺にもそれぞれ、該辺の延在方向中央部が両端部よりも筆軸中心側に凹む円弧状の凹部となる起伏部２１Ｂを形成したものである。本実施例によれば、Ｘ軸方向の二辺も筆軸内側に窪ませたことから、実施例１よりも筆毛３０が全体的に密となって、実施例１と同様筆毛中央部３０ｃと両端部３０ｅ，３０ｅの使用感が異なるのに加えて、実施例１よりも全体的に固い使用感が得られる。また、植毛穴２０Ｂの四辺が全て筆軸内側に窪むことから、四隅が鋭利となって、爪の細部に対しても化粧料５をしっかりと塗布できる筆毛３０となる。
【実施例３】
【００３２】
図４は第３の実施例に係る化粧筆の先端側斜視図である。第３の実施例の植毛穴２０Ｃは、Ｙ軸方向の二辺の形状は実施例１のままに、Ｘ軸方向の二辺をそれぞれ、該辺の延在方向中央部が両端部よりも筆軸外側に凸となる円弧状の凸部となる起伏部２１Ｃを形成したものである。本実施例によれば、Ｘ軸方向の二辺を筆軸外側に窪ませたことから、実施例１よりも筆毛３０が全体的に疎となって、実施例１と同様筆毛中央部３０ｃと両端部３０ｅ，３０ｅの使用感が異なるのに加えて、実施例１よりも全体的に柔らかい使用感が得られる。また、筆毛３０の両端部３０ｅ，３０ｅがより柔らかく爪を包み込むので、化粧料５を広範囲に均一量塗布できる筆毛３０となる。
【実施例４】
【００３３】
図５は第４の実施例に係る化粧筆の先端側斜視図である。第４の実施例の植毛穴２０Ｄは、実施例２の植毛穴２０ＢがＹ軸非対称形状となった変形例である。具体的には、植毛穴２０Ｂの起伏部２１Ａは一定曲率の円弧であったのに対し、本実施例の起伏部２１Ｄは、筆毛左右において曲率の異なる円弧となっており、筆毛左側３０ｌよりも右側３０ｒのほうが大きい曲率で筆軸内側に凹むように形成されている。本実施例によれば、植毛穴２０ＤがＹ軸非対称であることから、実施例２と同様筆毛中央部３０ｃと両端部３０ｅ，３０ｅの使用感が異なるのに加えて、さらに筆毛右側３０ｒが左側３０ｌよりも密となって、筆毛右側中央部３０ｒｃ、筆毛右側端部３０ｒｅ、筆毛左側中央部３０ｌｃ、筆毛左側端部３０ｌｅでそれぞれ異なる使用感が得られ、一本の化粧筆１で多様の使用感が得られる。
【実施例５】
【００３４】
図６は第５の実施例に係る化粧筆の先端側斜視図である。第５の実施例の植毛穴２０Ｅの開口部は四辺を有し、植毛穴２０ＥのＹ軸方向の二辺が長円形の筆軸先端面１１長手方向と平行に形成されるとともに、Ｙ軸方向の二辺にはそれぞれ、矩形に凹む溝である起伏部２１ＥがＹ軸方向の辺上に等ピッチで複数形成され、Ｘ軸方向の二辺はそれぞれ、該辺の延在方向中央部が両端部よりも筆軸外側に凸となる円弧状の凸部となる起伏部２１Ｃが形成されている。これにより、筆毛３０は、起伏部２１Ｅに筆毛３０がはまって、筆毛３０の外周部が複数の毛束状に分割された状態で延出する。本実施例によれば、筆毛左右方向において起伏部２１Ｅの凹凸箇所に対応して異なる使用感を得ることができる。また、起伏部２１Ｅの溝に表面張力によって化粧料５が保持されて、従来の筆毛よりも多量の化粧料５を化粧料容器４外へ持ち出すことができる。また、起伏部２１Ｅの溝開口部が鋭利となって、爪の細部に対しても化粧料５をしっかりと塗布できる筆毛３０となる。なお、Ｘ軸方向の二辺は、実施例１，２のように直線状や起伏部２１Ｂに形成しても良い。
【実施例６】
【００３５】
図７は第６の実施例に係る化粧筆の先端側斜視図である。第６の実施例の植毛穴２０Ｆの開口部は四辺を有し、Ｘ軸方向の二辺は実施例５と同様起伏部２１Ｃに形成し、植毛穴２０ＦのＹ軸方向の二辺には、その中央部に、筆毛右側３０ｒよりも左側３０ｌが筆軸内側に狭められる段差である起伏部２１Ｆを形成した。これにより、筆毛３０は、起伏部２１Ｆを境に筆毛３０の幅方向（厚み）が異なるＹ軸非対称形状で延出する。本実施例によれば、起伏部２１Ｆを境界に筆毛３０の収束密度が変化して、筆毛右側３０ｒは左側３０ｌよりも柔らかいため、一本の化粧筆１で多様の使用感が得られる。また、起伏部２１Ｆの段差頂部が鋭利となって、爪の細部に対しても化粧料５をしっかりと塗布できる。なお、Ｘ軸方向の二辺は実施例１，２のように直線状や起伏部２１Ｂに形成しても良い。
【実施例７】
【００３６】
図８は第７の実施例に係る化粧筆の先端側斜視図である。第７の実施例の植毛穴２０Ｇの開口部は、Ｘ軸方向両端部が鋭利となる、ピーナッツ形状に形成されている。本実施例によれば、植毛穴２０Ｇの形状を、筆軸１０横断面と相似形状に形成せず、Ｘ軸方向両端部を鋭利に形成して異形に形成したことで、筆毛両端部３０ｅ，３０ｅは筆毛中央部３０ｃとは異なる使用感が得られる。即ち、筆毛両端部３０ｅ，３０ｅの収束密度が大きいことから固く、かつ鋭利なことから爪の細部に対しても化粧料５をしっかりと塗布できる筆毛３０となる。
【実施例８】
【００３７】
図９は第８の実施例に係る化粧筆の先端側斜視図である。第８の実施例の植毛穴２０Ｇの開口部は、Ｘ軸方向一端部が鋭利となる、円錐形状に形成されている。本実施例によれば、植毛穴２０Ｇの形状を、筆軸１０横断面と相似形状に形成せず、Ｘ軸方向一端部を鋭利に形成して異形に形成したことで、筆毛一端部３０ｅは密かつ鋭利なことから爪の細部に対しても化粧料５をしっかりと塗布でき、筆毛左右方向に徐々に収束密度が小さくなって、漸次的に柔らかく変化する筆毛３０となる。
【００３８】
即ち、上記実施例１〜８において、植毛穴２０Ａ〜２０Ｈの形状を、安易に筆軸１０の横断面形状を縮小した長円形に形成せず異形に形成することで、筆毛３０を拘束する力に強弱が生じ、筆毛３０の収束密度に変化が生じて筆毛３０の広がり方が変化するので、用いる箇所によって多様な使用感が得られる。よって、従来のように植毛する筆毛３０の材質を変化させなくとも、植毛穴（開口部）の形状を工夫するだけで、一本の化粧筆１で多様な使用感を創出することができ、ユーザの多様なニーズに容易かつ安価に応えることのできる化粧筆１を提供できる。
【符号の説明】
【００３９】
１              化粧筆
３              操作部
１０            筆軸
１０ａ          筆軸先端部
１０ｂ          筆軸基端部
１１            筆軸先端面
２０Ａ〜２０Ｈ  植毛穴
２１Ａ〜２０Ｆ  起伏部
３０            筆毛
【図１】
2013102926.tif 000003
【図２】
2013102926.tif 000004
【図３】
2013102926.tif 000005
【図４】
2013102926.tif 000006
【図５】
2013102926.tif 000007
【図６】
2013102926.tif 000008
【図７】
2013102926.tif 000009
【図８】
2013102926.tif 000010
【図９】
2013102926.tif 000011
【図１０】
2013102926.tif 000012